(57)【要約】【課題】  電子機器と電子機器に対して電力を供給する電池とからなる電子機器システム、および電子機器ににおいて、コンデンサにより電子機器の一時的な負荷の増大に対応しつつ、コンデンサによる不具合を抑えること。【解決手段】  電子機器と、電子機器に対して着脱可能で、電子機器に対して電力を供給する第１の電池とからなる電子機器システムであって、電子機器は、少なくとも１つの負荷回路と、コンデンサと、少なくとも１つの負荷回路につながる第１の機器側接点と、第１の機器側接点と分離して設けられ、コンデンサにつながる第２の機器側接点とを備え、第１の電池は、電子機器に装着された状態で、第１の機器側接点と第２の機器側接点とを導通するとともに、電子機器に対して電力を供給する第１の電池側接点を備える。【選択図】      図１
2008061347.tif 000002
【特許請求の範囲】
【請求項１】
電子機器と、前記電子機器に対して着脱可能で、前記電子機器に対して電力を供給する第１の電池とからなる電子機器システムであって、
前記電子機器は、
少なくとも１つの負荷回路と、
コンデンサと、
前記少なくとも１つの負荷回路につながる第１の機器側接点と、
前記第１の機器側接点と分離して設けられ、前記コンデンサにつながる第２の機器側接点とを備え、
前記第１の電池は、
前記電子機器に装着された状態で、前記第１の機器側接点と前記第２の機器側接点とを導通するとともに、前記電子機器に対して電力を供給する第１の電池側接点を備える
ことを特徴とする電子機器システム。
【請求項２】
請求項１に記載の電子機器システムにおいて、
前記第１の電池が前記電子機器に装着される際に、前記第１の電池側接点は、前記第２の機器側接点と接触した後に前記第１の機器側接点と接触する
ことを特徴とする電子機器システム。
【請求項３】
請求項１に記載の電子機器システムにおいて、
前記電子機器システムは、前記電子機器に対して着脱可能で、前記電子機器に対して電力を供給するとともに、電池残量検知部を備えた第２の電池をさらに備え、
前記電子機器は、
前記第１の機器側接点および前記第２の機器側接点と分離して設けられ、前記第２の電池が前記電子機器に装着された状態で、前記電池残量検知部につながる第３の機器側接点をさらに備え、
前記第２の電池は、
前記電子機器に装着された状態で、前記第２の機器側接点および前記第３の機器側接点には接触せず、前記第１の機器側接点に接触し、前記電子機器に対して電力を供給する第２の電池側接点と、
前記電子機器に装着された状態で、前記第１の機器側接点および前記第２の機器側接点には接触せず、前記第３の機器側接点に接触し、前記電池残量検知部と前記電子機器とを導通する第３の電池側接点とを備える
ことを特徴とする電子機器システム。
【請求項４】
コンデンサと、
前記コンデンサにつながる第１の接点と、
前記第１の接点と分離して設けられ、外部の電力につながる第２の接点と
を備えることを特徴とする電子機器。
【発明の詳細な説明】
【技術分野】
【０００１】
本発明は、電子機器と電子機器に対して電力を供給する電池とからなる電子機器システム、および電子機器に関するものである。
【背景技術】
【０００２】
モータを使用する電子機器や、間欠的に無線送信する電子機器などでは、モータの起動時や無線送信時に一時的に負荷が増大する。
そこで、電池や電源を大型化せずに、上述した電子機器を安定して動作させるために、負荷回路と並列に大容量のコンデンサ（電気二重層コンデンサなど）を設置し、コンデンサに蓄えた電荷によって一時的な負荷の増大に対応する電子機器が考案されている（例えば、特許文献１参照）。
【特許文献１】特開平７−７５２５１号公報
【発明の開示】
【発明が解決しようとする課題】
【０００３】
しかし、特許文献１の発明では、電子機器から電池や電源を取り外した場合に、コンデンサから電力が供給され、誤作動が起こったり、表示など一部の動作が残ってしまう場合がある。
本発明は、電子機器と電子機器に対して電力を供給する電池とからなる電子機器システム、および電子機器において、コンデンサにより電子機器の一時的な負荷の増大に対応しつつ、コンデンサによる不具合を抑えることを目的とする。
【課題を解決するための手段】
【０００４】
本発明の電子機器システムは、電子機器と、前記電子機器に対して着脱可能で、前記電子機器に対して電力を供給する第１の電池とからなる電子機器システムであって、前記電子機器は、少なくとも１つの負荷回路と、コンデンサと、前記少なくとも１つの負荷回路につながる第１の機器側接点と、前記第１の機器側接点と分離して設けられ、前記コンデンサにつながる第２の機器側接点とを備え、前記第１の電池は、前記電子機器に装着された状態で、前記第１の機器側接点と前記第２の機器側接点とを導通するとともに、前記電子機器に対して電力を供給する第１の電池側接点を備える。
【０００５】
なお、好ましくは、前記第１の電池が前記電子機器に装着される際に、前記第１の電池側接点は、前記第２の機器側接点と接触した後に前記第１の機器側接点と接触しても良い。
また、好ましくは、前記電子機器システムは、前記電子機器に対して着脱可能で、前記電子機器に対して電力を供給するとともに、電池残量検知部を備えた第２の電池をさらに備え、前記電子機器は、前記第１の機器側接点および前記第２の機器側接点と分離して設けられ、前記第２の電池が前記電子機器に装着された状態で、前記電池残量検知部につながる第３の機器側接点をさらに備え、前記第２の電池は、前記電子機器に装着された状態で、前記第２の機器側接点および前記第３の機器側接点には接触せず、前記第１の機器側接点に接触し、前記電子機器に対して電力を供給する第２の電池側接点と、前記電子機器に装着された状態で、前記第１の機器側接点および前記第２の機器側接点には接触せず、前記第３の機器側接点に接触し、前記電池残量検知部と前記電子機器とを導通する第３の電池側接点とを備えても良い。
【０００６】
本発明の電子機器システムは、コンデンサと、前記コンデンサにつながる第１の接点と、前記第１の接点と分離して設けられ、外部の電源につながる第２の接点とを備える。
【発明の効果】
【０００７】
本発明によれば、電子機器と電子機器に対して電力を供給する電池とからなる電子機器システム、および電子機器において、コンデンサにより電子機器の一時的な負荷の増大に対応しつつ、コンデンサによる不具合を抑えることができる。
【発明を実施するための最良の形態】
【０００８】
＜第１実施形態＞
以下、図面を用いて本発明の第１実施形態について説明する。第１実施形態では、電子カメラと二次電池とからなるカメラシステムを例に挙げて説明する。
図１は、第１実施形態のカメラシステム１００の機能ブロック図である。カメラシステム１００は、図１に示すように、電子カメラ１０と、電子カメラ１０に着脱可能な二次電池５０とから構成される。
【０００９】
電子カメラ１０は、電源回路１１、測光回路１２、ＡＦ回路１３、表示部１４、記憶部１５、画像処理回路１６、撮像素子１７、ミラーモータ１８、モータ制御ＩＣ１９、シャッタ２０、絞り２１、ＡＦモータ２２、モータ制御ＩＣ２３、閃光発光回路２４の各部を備えるとともに、各部を制御するＣＰＵ２５を備える。
また、電子カメラ１０は、アース２６、コンデンサ２７、コンデンサ２７用のアース２８を備えるとともに、第１カメラ側接点３１、第２カメラ側接点３２、第３カメラ側接点３３の３つの接点を備える。
【００１０】
電源回路１１は、各部に電力を供給する。また、測光回路１２、ＡＦ回路１３、記憶部１５、画像処理回路１６の各部は、ＣＰＵ２５と相互に接続される。また、ＣＰＵ２５の出力は、表示部１４、撮像素子１７、モータ制御ＩＣ１９、シャッタ２０、絞り２１、モータ制御ＩＣ２３、閃光発光回路２４の各部にも接続される。さらに、撮像素子１７の出力は、画像処理回路１６に接続され、モータ制御ＩＣ１９は、ミラーモータ１８に接続され、モータ制御ＩＣ２３は、ＡＦモータ２２に接続される。なお、各部の動作については、公知技術と同様であるため、説明を省略する。
【００１１】
コンデンサ２７は、電気二重層コンデンサなどにより構成され、二次電池５０から供給される電力を蓄える。なお、コンデンサ２７の容量は、電子カメラ１０における最大の負荷に耐えられる容量とする。第１カメラ側接点３１、第２カメラ側接点３２、第３カメラ側接点３３は、図１に示すように、それぞれ分離して設けられる。そして、第１カメラ側接点３１は、電源回路１１をはじめとした各部につながる。また、第２カメラ側接点３２は、コンデンサ２７（およびアース２８）につながる。また、第３カメラ側接点３３は、アース２６につながる。
【００１２】
二次電池５０は、電源部５１、第１電池側接点５２、第２電池側接点５３を備える。
以上説明した構成のカメラシステム１００において、電子カメラ１０に二次電池５０が装着されると、図１に示すように、第１カメラ側接点３１および第２カメラ側接点３２は、二次電池５０の第１電池側接点５２と接触する。この結果、第１カメラ側接点３１と第２カメラ側接点３２とは、第１電池側接点５２を介して導通することになる。
【００１３】
また、電子カメラ１０に二次電池５０が装着されると、図１に示すように、第３カメラ側接点３３は、二次電池５０の第２電池側接点５３と接触する。
上述した電子カメラ１０の各構成のうち、電源回路１１、ミラーモータ１８、ＡＦモータ２２、閃光発光回路２４の各部は、一時的に負荷が増大する部分である。以下、これらの各部をまとめて、「負荷回路」と称する。負荷回路は、電子カメラ１０に二次電池５０が装着された状態において、コンデンサ２７と並列である。したがって、負荷回路において一時的に負荷が増大する際には、コンデンサ２７に蓄えた電荷によって一時的な負荷の増大に対応することができる。
【００１４】
一方、電子カメラ１０から二次電池５０を取り外すと、コンデンサ２７は、孤立することになるので、コンデンサ２７から負荷回路を含む電子カメラ１０の各部に電力が供給されることはない。したがって、誤作動が起こったり、表示など一部の動作が残ってしまうという問題を回避することができる。また、電子カメラ１０からの二次電池５０取り外しを監視する必要や、強制的に放電する回路を設ける必要もなく、強制的な放電によるエネルギーの無駄な消費も抑えることができる。
【００１５】
なお、電子カメラ１０に二次電池５０を装着する際には、各接点を適切な順番に接触させるのが好ましい。図２は、各接点の接触順を示す図である。横軸は時間の経過（接触順）を示し、縦軸は第１カメラ側接点３１の電圧の変化を示す。はじめに第３カメラ側接点３３と第２電池側接点５３と接触することによりアース２６に導通する場合、第１カメラ側接点３１と第１電池側接点５２と接触させてから、第２カメラ側接点３２と第１電池側接点５２と接触させる方法（図２Ａ）と、第２カメラ側接点３２と第１電池側接点５２と接触させてから、第１カメラ側接点３１と第１電池側接点５２と接触させる方法（図２Ｂ）とが考えられる。
【００１６】
図２Ａの例では、二次電池５０は、第１カメラ側接点３１への接触により負荷回路に導通した後に、第２カメラ側接点３２への接触によりコンデンサ２７に導通することになる。この場合、図２Ａに示すように、第２カメラ側接点３２と第１電池側接点５２とを接触させた直後に、コンデンサ２７に大量の電流が流れてしまい、第１カメラ側接点３１の電圧が急激に変化してしまう。
【００１７】
一方、図２Ｂの例では、二次電池５０は、第２カメラ側接点３２への接触によりコンデンサ２７に導通した後に、第１カメラ側接点３１への接触により負荷回路に導通することになる。この場合、図２Ｂに示すように、第１カメラ側接点３１の電圧はほとんど変化せず、安定した電力供給が可能である。
以上の説明から明らかなように、電子カメラ１０に二次電池５０に装着する際には、二次電池５０をアース２６に導通させた後、まず、コンデンサ２７に導通してから負荷回路に導通するのが好ましい。
【００１８】
そこで、本実施形態では、電子カメラ１０側の各接点の長さを最適化することにより、各接点の接触順を制御する。
図３は、電子カメラ１０側の各接点の長さを示す図である。図３では、説明を分かり易くするため、電子カメラ１０の各接点（第１カメラ側接点３１、第２カメラ側接点３２、第３カメラ側接点３３）のみを図示する。
【００１９】
図３に示すように、二次電池５０をアース２６に導通させる第３カメラ側接点３３を最も長くし、コンデンサ２７に導通させる第２カメラ側接点３２を次に長くし、負荷回路に導通させる第１カメラ側接点３１を最も短くする。この結果、二次電池５０が矢印Ａの方向に移動して電子カメラ１０に装着する際に、二次電池５０をアース２６に導通させた後、まず、コンデンサ２７に導通してから負荷回路に導通することができる。
【００２０】
以上説明したように、第１実施形態によれば、電子機器と、電子機器に対して着脱可能で、電子機器に対して電力を供給する第１の電池とからなる電子機器システムにおいて、電子機器は、少なくとも１つの負荷回路と、コンデンサと、少なくとも１つの負荷回路につながる第１の機器側接点と、第１の機器側接点と分離して設けられ、コンデンサにつながる第２の機器側接点とを備え、第１の電池は、電子機器に装着された状態で、第１の機器側接点と第２の機器側接点とを導通するとともに、電子機器に対して電力を供給する第１の電池側接点を備える。したがって、コンデンサにより電子機器の一時的な負荷の増大に対応しつつ、コンデンサによる不具合を抑えることができる。
【００２１】
また、本実施形態によれば、第１の電池が電子機器に装着される際に、第１の電池側接点は、第２の機器側接点と接触した後に第１の機器側接点と接触する。したがって、負荷回路への印可電圧の立ち上がりが安定化することができる。
＜第２実施形態＞
以下、図面を用いて本発明の第２実施形態について説明する。第２実施形態では、電子カメラと電池残量検知部を備えた二次電池と一次電池用ホルダとからなるカメラシステムを例に挙げて説明する。なお、第２実施形態では、第１実施形態と異なる部分についてのみ説明する。
【００２２】
図４は、第２実施形態のカメラシステム２００の機能ブロック図である。カメラシステム２００は、図４に示すように、電子カメラ４０と、電子カメラ４０に着脱可能で、電池残量検知部を備えた二次電池６０と一次電池用ホルダ７０とから構成される。なお、本実施形態では、二次電池６０と、一次電池用ホルダ７０との何れか一方が、電子カメラ４０に対して装着される。
【００２３】
電子カメラ４０は、第１実施形態の電子カメラ１０と略同様の構成を有する。したがって、以下では、第１実施形態と同様の部分については、第１実施形態と同様に符号を用いて説明する。電子カメラ４０は、第１実施形態の電子カメラ１０と同様に、電源回路１１、測光回路１２、ＡＦ回路１３、表示部１４、記憶部１５、画像処理回路１６、撮像素子１７、ミラーモータ１８、モータ制御ＩＣ１９、シャッタ２０、絞り２１、ＡＦモータ２２、モータ制御ＩＣ２３、閃光発光回路２４の各部を備えるとともに、各部を制御するＣＰＵ２５を備える。
【００２４】
また、電子カメラ４０は、第１実施形態の電子カメラ１０と同様に、アース２６、コンデンサ２７、コンデンサ２７用のアース２８、第１カメラ側接点３１、第２カメラ側接点３２、第３カメラ側接点３３を備えるとともに、４つ目の接点である第４カメラ側接点３４を備える。
第４カメラ側接点３４は、通信用接点であり、図４に示すように、第１カメラ側接点３１、第２カメラ側接点３２、第３カメラ側接点３３と、それぞれ分離して設けられる。そして、第４カメラ側接点３４は、ＣＰＵ２５につながる。
【００２５】
二次電池６０は、第１実施形態の二次電池５０と同様に、電源部６１、第１電池側接点６２、第２電池側接点６３を備えるとともに、電池残量検知部６４と、３つ目の接点である第３電池側接点６５とを備える。第３電池側接点６５は、上述した第４カメラ側接点３４に対応する通信用接点である。
電池残量検知部６４は、電池残量を検知する２種類のモードを備える。第１のモードは、二次電池６０が電子カメラ４０から取り外されている場合などに、間欠的に電池残量を検知するモードである。第２のモードは、二次電池６０が電子カメラ４０に装着されている場合に、連続的に電池残量を検知するモードである。第２のモードを実行する指示は、電子カメラ４０のＣＰＵ２５により行われる。
【００２６】
また、一次電池用ホルダ７０は、第１実施形態の二次電池５０の電源部５１に代えて、単三電池などの一次電池を着脱可能なホルダ部７１を備えるとともに、第１実施形態の二次電池５０と同様に、第１電池側接点７２、第２電池側接点７３を備える
以上説明した構成のカメラシステム２００において、電子カメラ４０に二次電池６０が装着されると、図４に示すように、第１カメラ側接点３１は、二次電池６０の第１電池側接点６２と接触する。ただし、第２カメラ側接点３２は、第１電池側接点６２と接触しない。
【００２７】
また、電子カメラ４０に二次電池６０が装着されると、図４に示すように、第３カメラ側接点３３は、二次電池６０の第２電池側接点６３と接触する。さらに、第４カメラ側接点３４は、二次電池６０の第３電池側接点６５と接触する。
本実施形態において、電子カメラ４０に二次電池６０が装着された状態において、コンデンサ２７は孤立する。これは、内部インピーダンスが異なる２種類の電池である二次電池６０と、一次電池用ホルダ７０とを併用可能な電子カメラ４０においては、内部インピーダンスが一次電池より低い二次電池６０を使用する際には、コンデンサ２７が不要であることに起因する。
【００２８】
また、電池残量検知部６４を備えた二次電池６０を使用する際に、二次電池６０とコンデンサ２７とを導通すると、電子カメラ４０に二次電池６０が装着された直後に、コンデンサ２７に電荷を蓄えるための大きな電流が急激に流れてしまう。したがって、電池残量検知部６４における誤検出が発生するおそれがあり、この観点からも、電子カメラ４０に二次電池６０が装着された状態において、コンデンサ２７は孤立するのが好ましい。
【００２９】
なお、電子カメラ４０に二次電池６０を装着する際には、第１実施形態と同様に、各接点を適切な順番に接触させるのが好ましい。第２実施形態では、電池残量検知部６４によりで二次電池６０の電池残量を検知する。ただし、電子カメラ４０に二次電池６０を装着した直後には、電子カメラ４０のＣＰＵ２５による第２のモードを実行する指示が間に合わず、電池残量検知部６４による誤検知が起こる可能性がある。そこで、第２実施形態では、二次電池６０をアース２６に導通させた後、まず、負荷回路に導通してからＣＰＵ２５に導通するのが好ましい。
【００３０】
そこで、本実施形態では、第１実施形態と同様に、電子カメラ４０側の各接点の長さを最適化するとともに、二次電池６０側の接点を最適化することにより、各接点の接触順を制御する。
図５Ａは、電子カメラ４０側の各接点の長さおよび二次電池６０側の接点の構成を示す図である。図５Ａでは、説明を分かり易くするため、電子カメラ４０の各接点（第１カメラ側接点３１、第２カメラ側接点３２、第３カメラ側接点３３、第４３カメラ側接点３４）のみを図示する。
【００３１】
図５Ａに示すように、二次電池６０は、コンデンサ２７に導通させる第２カメラ側接点３２に対応する部分には接点を持たない。そして、二次電池６０をアース２６に導通させる第３カメラ側接点３３を最も長くし、負荷回路に導通させる第１カメラ側接点３１を次に長くし、ＣＰＵ２５に導通させる通信用の接点である第４カメラ側接点３４を最も短くする。この結果、二次電池６０が矢印Ｂの方向に移動して電子カメラ４０に装着する際に、二次電池６０をアース２６に導通させた後、まず、負荷回路に導通してからＣＰＵ２５に導通することができる。
【００３２】
一方、電子カメラ４０に一次電池用ホルダ７０が装着されると、図４に示すように、第１カメラ側接点３１および第２カメラ側接点３２は、一次電池用ホルダ７０の第１電池側接点７２と接触する。この結果、第１カメラ側接点３１と第２カメラ側接点３２とは、第１電池側接点７２を介して導通することになる。
また、電子カメラ４０に一次電池用ホルダ７０が装着されると、図４に示すように、第３カメラ側接点３３は、一次電池用ホルダ７０の第２電池側接点７３と接触する。ただし、第４カメラ側接点３４は、一次電池用ホルダ７０の何れの接点とも接触しない。
【００３３】
電子カメラ４０に一次電池用ホルダ７０が装着された状態において、負荷回路は、コンデンサ２７と並列である。したがって、第１実施形態と同様に、負荷回路において一時的に負荷が増大する際には、コンデンサ２７に蓄えた電荷によって一時的な負荷の増大に対応することができる。
一方、電子カメラ４０から一次電池用ホルダ７０取り外すと、コンデンサ２７は、孤立することになるので、第１実施形態と同様に、誤作動が起こったり、表示など一部の動作が残ってしまうという問題を回避することができる。また、電子カメラ４０からの一次電池用ホルダ７０取り外しを監視する必要や、強制的に放電する回路を設ける必要もなく、強制的な放電によるエネルギーの無駄な消費も抑えることができる。
【００３４】
また、電子カメラ４０に一次電池用ホルダ７０が装着された状態において、第４カメラ側接点３４は、一次電池用ホルダ７０の何れの接点とも接触しないので、電池残量を検知しない一次電池用ホルダ７０を使用する際に、不要にＣＰＵ２５と導通することはない。
なお、電子カメラ４０に一次電池用ホルダ７０を装着する際には、各接点を適切な順番に接触させるのが好ましい。第２実施形態では、第１実施形態と同様に、一次電池用ホルダ７０をアース２６に導通させた後、まず、コンデンサ２７に導通してから負荷回路に導通するのが好ましい。
【００３５】
そこで、本実施形態では、第１実施形態と同様に、電子カメラ４０側の各接点の長さを最適化するとともに、一次電池用ホルダ７０側の接点を最適化することにより、各接点の接触順を制御する。
図５Ｂは、電子カメラ４０側の各接点の長さおよび一次電池用ホルダ７０側の接点の構成を示す図である。図５Ｂでは、説明を分かり易くするため、電子カメラ４０の各接点（第１カメラ側接点３１、第２カメラ側接点３２、第３カメラ側接点３３、第４カメラ側接点３４）のみを図示する。
【００３６】
図５Ｂに示すように、一次電池用ホルダ７０は、ＣＰＵ２５に導通させる第４カメラ側接点３４に対応する部分には接点を持たない。そして、一次電池用ホルダ７０をアース２６に導通させる第３カメラ側接点３３を最も長くし、コンデンサ２７に導通させる第２カメラ側接点３２を次に長くし、負荷回路に導通させる第１カメラ側接点３１を最も短くする。この結果、一次電池用ホルダ７０が矢印Ｂの方向に移動して電子カメラ４０に装着する際に、一次電池用ホルダ７０をアース２６に導通させた後、まず、コンデンサ２７に導通してから負荷回路に導通することができる。
【００３７】
以上説明したように、第２実施形態によれば、電子機器に対して着脱可能で、電子機器に対して電力を供給するとともに、電池残量検知部を備えた第２の電池をさらに備え、電子機器は、第１の機器側接点および第２の機器側接点と分離して設けられ、第２の電池が電子機器に装着された状態で、電池残量検知部につながる第３の機器側接点をさらに備える。そして、第２の電池は、電子機器に装着された状態で、第２の機器側接点および第３の機器側接点には接触せず、第１の機器側接点に接触し、電子機器に対して電力を供給する第２の電池側接点と、電子機器に装着された状態で、第１の機器側接点および第２の機器側接点には接触せず、第３の機器側接点に接触し、電池残量検知部と電子機器とを導通する第３の電池側接点とを備える。したがって、内部インピーダンスが異なる２種類の電池を併用可能な電子機器システムにおいて、内部インピーダンスがより低い電池を使用する際には、コンデンサを孤立させることができる。また、電池残量検知部を備えた第２の電池を使用するときのみ通信用の接点を導通することができる。
【００３８】
なお、上記各実施形態では、電子カメラ１０および電子カメラ４０側の各接点の長さを最適化することにより、各接点の接触順を制御する例を示したが、本発明はこの例に限定されない。例えば、電池側の接点の部分に絶縁体を適宜配置したり、電池側の接点の部分に凹凸を設けたりすることにより各接点の接触順を制御しても良い。
また、上記各実施形態で説明した各接点の接触順はこの例に限定されない。例えば、第１実施形態において、コンデンサ２７に導通してから、二次電池５０をアース２６に導通し、最後に負荷回路に導通する構成としても良い。また、第２実施形態においても同様である。
【００３９】
また、上記各実施形態では、電子カメラと二次電池とからなるカメラシステム、および電子カメラと電池残量検知部を備えた二次電池と一次電池用ホルダとからなるカメラシステムを例に挙げて説明したが、モータを使用する電子機器や、間欠的に無線送信する電子機器など、モータの起動時や無線送信時に一時的に負荷が増大する電子機器にも本発明を同様に適用することができる。例えば、コンピュータ、携帯電話、映像再生装置、ゲーム機器などにも本発明を同様に適用することができる。
【図面の簡単な説明】
【００４０】
【図１】第１実施形態のカメラシステム１００の機能ブロック図である。
【図２】第１実施形態のカメラシステム１００における各接点の接触順について説明する図である。
【図３】第１実施形態のカメラシステム１００の各接点について説明する図である。
【図４】第２実施形態のカメラシステム２００の機能ブロック図である。
【図５】第２実施形態のカメラシステム２００の各接点について説明する図である。
【符号の説明】
【００４１】
１０・４０…電子カメラ，１１…電源回路，２５…ＣＰＵ，２７…コンデンサ，３１・３２・３３・３４…カメラ側接点，５０・６０…二次電池，５２・５３・６２・６３・６４・６５・７２・７３…電池側接点，６４…電池残量検知部
【図１】
2008061347.tif 000003
【図２】
2008061347.tif 000004
【図３】
2008061347.tif 000005
【図４】
2008061347.tif 000006
【図５】
2008061347.tif 000007